(57)【要約】【課題】歯の治療中、患者に対して歯科診療時間に関する情報をより確実に伝えることができ、ひいては、患者が抱く歯科診療時間に関する不安を和らげることが可能な歯科診療情報共有システムを提供することにある。【解決手段】画像表示手段（画像表示装置１１）と、表示制御手段（歯科診療情報共有コンピュータ１２）と、入力手段（ドクターサイド操作ユニット１３）と、を有する歯科診療情報共有システムで、これらのうち表示制御手段によって、入力手段からの入力信号（例えば歯科医師の指示を示す信号）に基づき歯科診療時間に関する視覚的図形が画像表示手段に表示されるようにしたので、患者は、歯の治療中に、歯科診療時間に関する視覚的図形を視認することができる。【選択図】図１
2007143602.tif 000002
【特許請求の範囲】
【請求項１】
歯科診療情報に関する画像を表示する画像表示手段と、
前記画像表示手段に表示する画像の表示制御を行う表示制御手段と、
前記歯科診療情報を前記表示制御手段に入力する入力手段と、を有し、患者と歯科医師との間で前記歯科診療情報を共有しうる歯科診療情報共有システムであって、
前記表示制御手段は、前記入力手段からの入力信号に基づき、歯科診療時間に関する視覚的図形を前記画像表示手段に表示させることを特徴とする歯科診療情報共有システム。
【請求項２】
歯科診療情報に関する画像を表示する画像表示手段と、
前記画像表示手段に表示する画像の表示制御を行う表示制御手段と、を有し、
患者と歯科医師との間で前記歯科診療情報を共有しうる歯科診療情報共有システムであって、
前記歯科診療情報共有システムは、更に、当該歯科医師の過去の診療における診療情報を履歴データとして記憶する記憶手段と、
前記履歴データに基づき、当該患者における診療時間を算出する演算手段と、を有し、
前記表示制御手段は、前記演算手段により算出されたデータに基づき、歯科診療時間に関する視覚的図形を前記画像表示手段に表示させることを特徴とする歯科診療情報共有システム。
【請求項３】
前記視覚的図形は、本日の歯科診療終了までの診療残り時間に関する目盛りであることを特徴とする請求項１又は２記載の歯科診療情報共有システム。
【請求項４】
前記視覚的図形は、将来の歯科診療計画における診療残り時間に関する目盛りであることを特徴とする請求項１又は２記載の歯科診療情報共有システム。
【請求項５】
前記画像表示手段は、患者の頭部に装着するヘッドマウントディスプレイであることを特徴とする請求請１から４のいずれか記載の歯科診療情報共有システム。
【請求項６】
前記歯科診療情報共有システムは、さらに、歯科医師によって歯科治療で用いられる回転切削器具を有し、
前記回転切削器具には、患者の口腔内を映す口腔内カメラが設けられ、
前記表示制御手段は、前記口腔内カメラから送信された口腔内画像を前記画像表示手段に表示させることを特徴とする請求項１から５のいずれか記載の歯科診療情報共有システム。
【請求項７】
前記歯科診療情報共有システムは、さらに、患者の要求に応じて、前記画像表示手段に表示される画像として前記視覚的図形及び／又は前記口腔内画像を選択する選択手段を備えることを特徴とする請求項６記載の歯科診療情報共有システム。
【発明の詳細な説明】
【技術分野】
【０００１】
本発明は、歯科医師と患者との間で歯科診療情報を共有しうる歯科診療情報共有システムに関する。
【背景技術】
【０００２】
一般に、歯科診療では、患者が抱える様々な不安を和らげるために、歯科医師が事前に診療目的・診療内容を十分に説明して、患者の納得（いわゆるインフォームドコンセント）を得た上で、歯の治療が行われている。また、近年になって、歯科医師が事前に診療目的・診療内容を説明するときに、コンピュータを利用して歯科診療情報をグラフ化或いは図表化することによって、患者の理解を促進する試みがなされている（例えば特許文献１参照）。
【０００３】
特許文献１に記載の発明は、歯科医師が患者の口腔内を検査・診断して得た歯科診療情報をコンピュータに入力するとともに、この歯科診療情報を所定の表示装置に２次元的・３次元的に表示するものである。この発明によれば、患者は、例えば治療が必要な箇所、歯の欠損部分の治療処置状況等を視覚的に確認することができるので、歯科医師による診療目的・診療内容の説明をスムーズに理解することができる。また、患者自身が望む情報（診療内容、診療計画、ヒーリング、次回の診療等）を、自分で選択できる。このように、コンピュータを利用する等して、歯科医師と患者との間で歯科診療情報を共有することで、患者が抱える不安を和らげることができる。
【０００４】
【特許文献１】特開２００５−６３３９７号公報（段落番号［０００５］、［００３２］）
【発明の開示】
【発明が解決しようとする課題】
【０００５】
しかしながら、上述した特許文献１記載の発明は、歯科診療情報を"治療の合間"に患者に視認させようとしているものであることから、"治療中に"患者が抱える不安を和らげることはできない。
【０００６】
すなわち、患者は、歯の治療を受けている最中、「あと何分で終わるのだろう」とか、「今日はたくさん歯を削っているようだけど、この分だと、完治するまでにあと何日（あと何時間）ぐらいかかるのだろう」といったような、歯科診療時間に関する不安を抱くことが多い。歯科診療時間は、歯科医によって大きく変化し、熟練者であれば短い時間となるが、初心者であれば相当の時間がかかる。かかる不安は、"治療の合間"における情報共有を図る特許文献１に記載の発明では、和らげることはできない。
【０００７】
一方で、歯の治療中、歯科医師が、例えば「今日はあと１５分で終わりますよ」とか、「削ってみたら虫歯が新しく見つかったので、この分だと、あと２週間ほど通って頂く必要があります」など、患者に対して歯科診療時間を告げることによって上述の不安を取り除くことも考えられる。しかし、このような告知は、歯の治療に用いる回転切削器具の音によって掻き消されて聴覚できない場合があり、かかる場合には、歯科診療時間が患者に確実に伝わらない。すなわち、切削前や切削中に口頭で報告することは、診療の流れの観点より難しい面がある。
【０００８】
本発明は、以上の点に鑑みてなされたものであり、その目的は、歯の治療中、患者に対して歯科診療時間に関する情報をより確実に伝えることができ、ひいては、患者が抱く歯科診療時間に関する不安を和らげることが可能な歯科診療情報共有システムを提供することにある。
【課題を解決するための手段】
【０００９】
以上のような課題を解決するため、本発明は、以下のものを提供する。
【００１０】
（１）  歯科診療情報に関する画像を表示する画像表示手段と、前記画像表示手段に表示する画像の表示制御を行う表示制御手段と、前記歯科診療情報を前記表示制御手段に入力する入力手段と、を有し、患者と歯科医師との間で前記歯科診療情報を共有しうる歯科診療情報共有システムであって、前記表示制御手段は、前記入力手段からの入力信号に基づき、歯科診療時間に関する視覚的図形を前記画像表示手段に表示させることを特徴とする歯科診療情報共有システム。
【００１１】
本発明によれば、画像表示手段と、表示制御手段と、入力手段と、を有する歯科診療情報共有システムで、これらのうち表示制御手段によって、入力手段からの入力信号（例えば歯科医師の指示を示す信号）に基づき歯科診療時間に関する視覚的図形が画像表示手段に表示されるようにしたので、患者は、歯の治療中に、歯科診療時間に関する視覚的図形を視認することができる。
【００１２】
従って、歯の治療中に、患者に対して歯科診療時間に関する情報をより確実に伝えることができ、歯科医師と患者との間で歯科診療時間に関する情報を共有することができる。その結果、患者が抱く歯科診療時間に関する不安を和らげることができる。このように、本発明によれば、各歯科医（医師）で診療時間が異なるところ、これらをデータベース化することにより、患者に対し、あとどのくらいで今日の診療が終了するかを知らせることができ、ひいては不安を減少させ、患者の頑張りを増大させることができる。
【００１３】
（２）  歯科診療情報に関する画像を表示する画像表示手段と、前記画像表示手段に表示する画像の表示制御を行う表示制御手段と、を有し、患者と歯科医師との間で前記歯科診療情報を共有しうる歯科診療情報共有システムであって、前記歯科診療情報共有システムは、更に、当該歯科医師の過去の診療における診療情報を履歴データ（各診療にかかる時間等）として記憶する記憶手段と、前記履歴データに基づき、当該患者における診療時間を算出する演算手段と、を有し、前記表示制御手段は、前記演算手段により算出されたデータに基づき、歯科診療時間に関する視覚的図形を前記画像表示手段に表示させることを特徴とする歯科診療情報共有システム。
【００１４】
本発明によれば、画像表示手段と、表示制御手段と、を有する歯科診療情報共有システムで、更に歯科医師の過去の診療情報データを記憶する記憶手段と、患者の診療時間を算出する演算手段を有し、この演算手段によって算出されたデータに基づいて、歯科診療時間に関する視覚的図形が画像表示手段に表示されることとしたので、患者は、歯の治療中に、歯科診療時間に関する視覚的図形を視認することができ、また、歯科医師は、自ら診療時間等のデータ入力操作を行うことなく、歯科治療に専念することができる。
（３）  前記視覚的図形は、本日の歯科診療終了までの診療残り時間に関する目盛りであることを特徴とする（１）又は（２）記載の歯科診療情報共有システム。
【００１５】
本発明によれば、上述した視覚的図形は、本日の歯科診療終了までの診療残り時間に関する目盛りであることとしたから、患者は、例えば「今日はあと１５分で終わりますよ」といった歯の治療が終了するまでの時間を知ることができ、ひいては歯科診療時間に関する患者の不安を和らげることができる。
【００１６】
また、患者の歯科診療時間に関する情報をデータ化することにより、各歯科医師の１日の診療時間等を的確に把握することができ、歯科医院における歯科医師のスケジュール管理を容易にすることができる。
【００１７】
（４）  前記視覚的図形は、将来の歯科診療計画における診療残り時間に関する目盛りであることを特徴とする（１）又は（２）記載の歯科診療情報共有システム。
【００１８】
本発明によれば、上述した視覚的図形は、将来の歯科診療計画における診療残り時間に関する目盛りであることとしたから、患者は、例えば「本日は、今後の診療計画を相談するために、歯の治療が終了した後、約３０分間お時間を頂きますよ」といった歯に関する診療（業務）が終了するまでの時間を知ることができ、ひいては歯科診療時間に関する患者の不安を和らげることができる。
【００１９】
また、あと何日（何時間）くらい通えば歯の治療が終了するのかを患者自身が把握できるため、患者は通院のスケジュールを立てることが容易となる。したがって、患者は余裕を持って通院することができ、歯科医師はスムーズに歯科治療を進めることができる。
【００２０】
更に、各歯科医師の診療内容と診療時間に関する情報をデータ化することにより、各歯科医師の長期的なスケジュール（１〜３週間程度）を立てることができる。的確なスケジュール管理ができるため、患者の予約管理も容易となり、歯科医院のスムーズな経営に資することとなる。
【００２１】
なお、ここでは視覚的図形として目盛りを考えて診療残り時間を表示することとしたが、例えば、視覚的図形の色で、診療残り時間を表示するようにしても構わない。
【００２２】
（５）  前記画像表示手段は、患者の頭部に装着するヘッドマウントディスプレイであることを特徴とする（１）から（４）のいずれか記載の歯科診療情報共有システム。
【００２３】
本発明によれば、上述した画像表示手段は、患者の頭部に装着するヘッドマウントディスプレイであることとしたので、患者は、特に起き上がることなく、そのままの（仰向けになった）体勢で、画像表示手段に表示された視覚的図形を視認することができ、ひいては歯科診療情報共有システムの安全性を向上させることができる。なお、本発明ではヘッドマウントディスプレイを用いているが、その他、モニターを設置して、そのモニターに視覚的図形を表示することも可能である。
【００２４】
（６）  前記歯科診療情報共有システムは、さらに、歯科医師によって歯科治療で用いられる回転切削器具を有し、前記回転切削器具には、患者の口腔内を映す口腔内カメラが設けられ、前記表示制御手段は、前記口腔内カメラから送信された口腔内画像を前記画像表示手段に表示させることを特徴とする（１）から（５）のいずれか記載の歯科診療情報共有システム。
【００２５】
本発明によれば、上述した歯科診療情報共有システムに、歯科医師によって歯科治療で用いられる回転切削器具を入れ、その回転切削器具に、患者の口腔内を映す口腔内カメラを設け、上述した表示制御手段によって、その口腔内カメラから送信された口腔内画像が画像表示手段に表示されることとしたので、患者は、歯の治療中、歯科診療時間を歯科医師から伝えてもらう一方で、自分の口腔内の様子も確認することができる。これにより、患者は、現在の治療状況を確認することができ、安心感を得ることができる。
【００２６】
（７）  前記歯科診療情報共有システムは、さらに、患者の要求に応じて、前記画像表示手段に表示される画像として前記視覚的図形及び／又は前記口腔内画像を選択する選択手段を備えることを特徴とする（６）記載の歯科診療情報共有システム。
【００２７】
本発明によれば、上述した歯科診療情報共有システムに、さらに、患者の要求に応じて、画像表示手段に表示される画像として、上述した視覚的図形及び／又は口腔内画像を選択する選択手段を設けることとしたから、患者は、現在の治療状況が気になるときは口腔内画像を視認することができるし、歯科診療時間が気になるときは歯科診療時間に関する視覚的図形を視認することができるし、患者の意思を反映した利便性の高い歯科診療情報共有システムを提供することができる。
【発明の効果】
【００２８】
以上説明したように、本発明によれば、例えば歯科医師の指示に基づいて、歯科診療時間に関する視覚的図形が画像表示手段に表示されるようにしたので、歯の治療中、患者に対して歯科診療時間に関する情報をより確実に伝えることができ、ひいては、患者が抱く歯科診療時間に関する不安を和らげることができる。
【発明を実施するための最良の形態】
【００２９】
以下、本発明を実施するための最良の形態について、図面に基づいて説明する。
【００３０】
［概要］
図１は、本発明の実施の形態に係る歯科診療情報共有システムの概要を示す外観図である。
【００３１】
図１に示すように、本実施の形態の歯科診療情報共有システムは、診療チェアー１０と、画像表示装置１１と、歯科診療情報共有コンピュータ１２と、ドクターサイド操作ユニット１３とを備えている。
【００３２】
診療チェアー１０は、患者が診察・治療を受けるために着座するためのもので、肘掛２０が取り付けられている。診療チェアー１０の横（図中の奥）には、歯科診療情報共有システムを制御する歯科診療情報共有コンピュータ１２が設置されており、歯科診療情報共有コンピュータ１２の上方には、多関節アームを介して画像表示装置１１が取り付けられている。この画像表示装置１１は、自在に移動可能である。
【００３３】
また、ドクターサイド操作ユニット１３は、歯科医師が診察・治療する際に使用するものであって、図１では４本の回転切削器具１４が取り付けられている。また、ドクターサイド操作ユニット１３の操作タッチパネル１３ａには、歯科診察情報を歯科診療情報共有コンピュータ１２に入力するための操作ボタン（図２参照）などが表示されている。なお、患者が選択した画像が表示される場合もある。
【００３４】
図２は、ドクターサイド操作ユニット１３の操作タッチパネル１３ａの表示例を表した図である。
【００３５】
図２において、ドクターサイド操作ユニット１３の操作タッチパネル１３ａには、電源スイッチ１６ａと、表示画面内容を選択する操作ボタン１７ａ及び１７ｂと、操作コマンドの決定をおこなう操作ボタン１７ｃと、数字を入力する１０個の操作ボタン１７ｄ〜１７ｍと、が設けられている。
なお、このドクターサイド操作ユニット１３は、歯科診療情報共有コンピュータ１２と専用ケーブル（図示せず）で電気的に繋がっている。勿論、有線でなくても無線で繋がっていてもよい。
【００３６】
［電気的構成］
次に、歯科診療情報共有システムの電気的構成について説明する。図３は、本発明の実施の形態に係る歯科診療情報共有システムの電気的構成を示すブロック図である。
【００３７】
図３において、歯科診療情報共有システムは、歯科診療情報に関する画像を表示させるための入力信号を受信し、歯科診療情報共有システムの各部に対する統合的な制御を司るＣＰＵ５０と、歯科診療情報に関する画像や各種プログラムを記憶しているＲＯＭ５１と、ＣＰＵ５０のワーキングエリアとして機能するＲＡＭ５２と、を有している。なお、これらは歯科診療情報共有コンピュータ１２内に設けられている。
【００３８】
また、歯科診療情報共有システムは、ＣＰＵ５０からの表示コマンドを受信して、その表示コマンドに基づき、画像表示装置１１に対して駆動信号を送信する画像表示制御回路５５と、ＣＰＵ５０からの指示に応じて画像データを画像表示制御回路５５に与えるＧＰＵ５３と、ＧＰＵ５３のワーキングエリアとして機能するＶＲＡＭ５４と、を有している。なお、これらも歯科診療情報共有コンピュータ１２内に設けられている。
【００３９】
このＧＰＵ５３は、ＣＰＵ５０からの指示を基にＲＯＭ５１を参照し、この参照結果に基づいて画像表示装置１１に表示するための画像データを生成する。ＧＰＵ５３により生成された画像データは、ＶＲＡＭ５４上で展開され、その後、ＧＰＵ５３に読み出されて画像表示制御回路５５に与えられる。そうすると、ＣＰＵ５０によって駆動制御される画像表示制御回路５５は、ＧＰＵ５３から与えられた画像データに基づいて、画像表示装置１１の表示画面に所定の画像を表示させる。
【００４０】
更に、歯科診療情報共有システムは、歯科医師の過去の診療における診療情報を履歴データとして記憶する記憶装置５６と、その履歴データに基づき、患者の診療時間を算出する演算装置５７と、を有している。なお、これらも歯科診療情報共有コンピュータ１２内に設けられている。
【００４１】
ドクターサイド操作ユニット１３には、上述したように、歯科診療情報共有システムを起動させる電源スイッチ１６ａと、歯科診療時間に関する情報を入力するために操作ボタン１７ａ〜１７ｍが設けられている。また、画像表示装置１１の下方には、歯科診療情報共有システムを起動させる電源スイッチ１６ｂと、画像表示装置１１の表示画面を選択する表示選択ボタン１８と、が設けられている（図９参照）。
【００４２】
歯科医師等によって電源スイッチ１６ａが押圧操作されると、その操作信号がＣＰＵ５０に入力され、歯科診療情報共有コンピュータ１２がオン・オフされる。また、操作ボタン１７ａ〜１７ｍが押圧操作されると、選択信号や実行信号などがＣＰＵ５０に入力される。
【００４３】
一方で、患者によって電源スイッチ１６ｂが押圧操作されると、その操作信号がＣＰＵ５０に入力され、画像表示装置１１がオン・オフされる。また、表示選択ボタン１８が押圧操作されると、ＣＰＵ５０へ画像表示装置１１の画面を切り替える信号が送信され、画像表示装置１１に表示される画像が、様々な図形に切り替わる。
【００４４】
［制御の流れ］
図４は、本発明の実施の形態に係る歯科診療情報共有システムの制御の流れを示すフローチャートである。
【００４５】
図４において、まず、電源スイッチ１６ａがオン操作される（ステップＳ１）。より具体的には、歯科医師が歯科診療情報共有システムの電源スイッチ１６ａを押圧すると、電源スイッチ１６ａの操作信号がＣＰＵ５０に入力される。この操作信号を受信したＣＰＵ５０は、バッテリー（図示せず）に対して電源供給コマンドを送信するとともに、ＲＯＭ５１から起動プログラムを読み出して実行し、次の操作コマンドが送信されるまで待機する。
【００４６】
次いで、本日の診療時間の入力が行われる（ステップＳ２）。より具体的には、歯科医師が操作ボタン１７ａ〜１７ｍを用いて本日の歯科診療時間を入力操作すると、その操作信号がＣＰＵ５０に入力される。操作信号を受信したＣＰＵ５０は、ＲＯＭ５１に記憶されている画像データを参照する。画像データは、表示画面の枠を構成するデータであったり、時間を表現する視覚的図形（例えば、四角い棒状のバーなど）のデータであったり、「本日の残り診療時間」といった案内情報データなどであったりする。
【００４７】
ＣＰＵ５０は、これらの画像データのうち、操作ボタン１７ａ〜１７ｍからの操作信号に基づく適切な画像データを選択・取得した後、それらをＧＰＵ５３に対して転送する。
【００４８】
ここで、上記ステップＳ２における本日の診療時間の入力は、歯科医師の入力操作によって行われるもののほか、記憶装置５６に記憶された履歴データをもとに、演算装置５７によって算出されたデータに基づく指示信号によって行われるものとすることができる。この指示信号を受信したＣＰＵ５０は、ＲＯＭ５１に記憶されている画像データを参照し、算出データによる指示信号に基づく適切な画像データを選択・取得した後、それらをＧＰＵ５３に対して転送する。
【００４９】
次いで、視覚的図形の表示が行われる（ステップＳ３）。より具体的には、ＧＰＵ５３は、ステップＳ２において転送されてきた画像データをＶＲＡＭ５４上で展開・合成した後、合成画像データを画像表示制御回路５５に送信する。そして、画像表示制御回路５５は、受信した合成画像データを本日の歯科診療時間に関する視覚的図形を含む画像として、画像表示装置１１に表示する。
【００５０】
次いで、診療時間の再入力が行われる（ステップＳ４）。より具体的には、歯科医師が、患者の歯科治療を行っている最中に、新しい虫歯を発見した場合や最初に予測した歯科診療時間よりも長く掛かりそうな場合に、操作ボタン１７ａ〜１７ｍを押圧して、本日の歯科診療時間に関する視覚的図形を修正する。例えば、歯科医師は、画像表示装置１１に表示されている残りの歯科診療時間にあと何分プラスすれば歯科診療が終了するのか計算して、本日の歯科診療時間を再入力する。
【００５１】
ここで、図４において示した制御の流れを、画像表示装置１１の画面を用いて説明する。図５は、歯科診療時間に関する視覚的図形が画像表示装置１１の画面に表示されている様子の一例を示した図である。
【００５２】
図５において、図４のステップＳ２で入力された本日の歯科診療時間が画像表示装置１１に視覚的図形で表示され（図５（ａ）参照）、診療時間の経過とともに画像表示装置１１上の「本日の残り診療時間」の目盛りが減っていく（図５（ｂ）参照）。なお、この目盛りが減っていく制御は、ＧＰＵ５３によって行うことができる。そして、歯科医師が図４のステップＳ４において、歯科診療時間の再入力をおこなうと、新たな本日の残り診療時間が画像表示装置１１に表示される（図５（ｃ）参照）。歯科診療が完了すると、画像表示装置１１に表示されている視覚的図形の「本日の残り診療時間」の目盛りがゼロになる（図５（ｄ）参照）。
【００５３】
以上説明したように、本実施形態に係る歯科診療情報共有システムによれば、歯の治療中、患者に対して歯科診療時間に関する情報をより確実に伝えることができ、ひいては、患者が抱く歯科診療時間に関する不安を和らげることができる。なお、「本日の残り診療時間」を色や音で知らせることとしてもよい。
【００５４】
［変形例］
次に、本発明の他の実施の形態に係る歯科診療情報共有システムであって、画像表示装置１１に表示される視覚的図形が、将来の歯科診療計画における診療残り時間に関する目盛りになっているようなシステムについて説明する。
【００５５】
図６は、本発明の他の実施の形態に係る歯科診療情報共有システムの画像表示装置１１の画面を表す図である。
【００５６】
図６（ａ）においては、「残りの診療日数」を視覚的図形で表示している。例えば、歯科医師が治療中に患者の新しい虫歯を発見し、今後の歯科診療時間が大幅に伸びて本日中に診療が完了しない場合に、診療が完了するまでの診療日数を表示している。患者は、この画面を見て、歯科診療に掛かる日数があとどれ位なのかを知ることができる。
【００５７】
また、図６（ｂ）においては、診療相談に掛かる時間と治療時間とを視覚的図形で表示している。特に、診療相談に関しては、治療が終了した後、今後の診療に関する相談やカウンセリングなどの時間を表示している。これらの画面操作は、歯科医師がドクターサイド操作ユニット１３の操作ボタン１７ａ〜１７ｍを押圧して診療日数などの将来の歯科診療計画を表示させることができ、患者は歯に関する診療（業務）が終了するまでの時間を知ることができ、ひいては歯科診療時間に関する患者の不安を和らげることができる。
【００５８】
図７は、本発明の他の実施の形態に係る歯科診療情報共有システムで用いられるヘッドマウントディスプレイ１９を示す図である。
【００５９】
図７に示すように、患者が歯科診療時間に関する視覚的図形を視認するための画像表示手段として、ヘッドマウントディスプレイ１９を用いることができる。ヘッドマウントディスプレイ１９は、患者の頭部に装着するので、治療中であっても起き上がることなくそのままの（仰向けになった）体勢で、画像表示手段に表示された視覚的図形を視認することができ、また、歯科診療の最中に歯科医師や看護婦の手や体などで画像表示手段を遮られることなく視認することができ、ひいては歯科診療情報共有システムの安全性を向上させることができる。ヘッドマウントディスプレイ１９は、歯科診療情報共有コンピュータ１２と無線で接続されていて、視覚的図形に関する画像信号をヘッドマウントディスプレイ１９に内蔵されているアンテナ（図示せず）で受信する。また、ヘッドマウントディスプレイ１９は、無線でなく専用ケーブルなどの有線で繋がっていてもよい。また、ヘッドマウントディスプレイ１９は、既知の骨伝導スピーカを備え、歯科医師との会話が可能であるものとすることもできる。
【００６０】
図８は、本発明の他の実施の形態に係る歯科診療情報共有システムで用いられる回転切削器具を示す図である。特に、回転切削器具１４の先に口腔内カメラ１５が設けられている。
【００６１】
図８においては、歯科治療で用いられる回転切削器具１４に、患者の口腔内を映す口腔内カメラ１５が設けられている。これにより、虫歯の画像や口腔内の治療中の画像を画像表示手段に表示することができる。口腔内カメラ１５で撮影した画像信号は、上述同様ＣＰＵ５０及びＧＰＵ５３によって画像データとして生成され、画像表示制御回路５５を経由して画像表示装置１１に表示される。このようにして、患者は、歯の治療中、歯科診療時間を歯科医師から伝えてもらうことができる一方で、自分の口腔内の様子も確認することができるので、安心感を得ながら歯科診療を受けることができる。
【００６２】
次に、患者の要求に応じて、画像表示手段に表示される画像が、視覚的図形と口腔内画像に切り替わる様子について説明する。
【００６３】
図９は、本発明の他の実施の形態に係る歯科診療情報共有システムで用いられる表示選択ボタンを示す図である。図１０は、本発明の他の実施の形態に係る歯科診療情報共有システムにおいて、画像表示手段の画面が切り替わる流れを示すフローチャートである。図１１は、本発明の他の実施の形態に係る歯科診療情報共有システムにおいて、実際に画像表示手段の画面が切り替わった様子を示す図である。特に、図９（ａ）は、図１の画像表示装置１１を拡大している。なお、ここでは表示選択ボタン１８を画像表示装置１１の下方に設けているが、図９（ｂ）に示すように、肘掛２０に設けてもよい。
【００６４】
図９（ａ）において、画像表示装置１１の下方に電源スイッチ１６ｂと表示選択ボタン１８が設けられている。患者は、歯科診療時間に関する視覚的図形と治療中の口腔内画像を選択することができる。より具体的には、患者が希望する画像を選択するために表示選択ボタン１８を押圧すると、操作信号がＣＰＵ５０へ送信され、ＣＰＵ５０がＧＰＵ５３に画像を切り替える信号を送信することによって、画像表示手段の画像が、患者が希望する画像に切り替わる。
【００６５】
図１０において、視覚的図形の表示がおこなわれる（ステップＳ１１）。より具体的には、ステップＳ３と同様に、歯科医師が入力した、本日の歯科診療時間に関する視覚的図形を画像表示手段に表示させる。
【００６６】
次いで、表示選択ボタン１８の操作がおこなわれる（ステップＳ１２）。より具体的には、患者が画像表示手段に表示される画像を口腔内画像に選択するために、選択操作ボタン１８を押圧すると、ＣＰＵ５０へ操作信号が送信される。
【００６７】
次いで、口腔内画像の表示がおこなわれる（ステップＳ１３）。より具体的には、患者によって選択された口腔内画像がＧＰＵ５３及びＶＲＡＭ５４で画像データとして生成され、画像表示制御回路５５に送られる。その結果、画像表示手段に口腔内画像が表示される。
【００６８】
図１１に示すように、患者は、歯科診療時間が気になるときは歯科診療時間に関する視覚的図形を視認することができ（図１１（ａ）参照）、一方で、現在の治療状況が気になったときには口腔内画像を視認することができるので（図１１（ｂ）参照）、患者の意思を反映した利便性の高い歯科診療情報共有システムを提供することができる。
【００６９】
また、初期画面に表示された画像一覧から患者に選択された１の画像が画像表示手段に表示されることとしてもよい。以下に、患者の選択により画像が表示される様子について説明する。
【００７０】
図１２は、本実施の形態に係る歯科診療情報共有システムで用いられる表示選択ボタンを示す図である。図１３は、本実施の形態に係る歯科診療情報共有システムにおいて、患者の選択により画像表示手段の画面が表示される流れを示すフローチャートである。図１４は、本実施の形態に係る歯科診療情報共有システムにおいて、実際に画像表示手段の画面が切り替わる様子を示す図である。
【００７１】
図１２（ａ）において、表示選択ボタン１８、及び、上下選択ボタン２１ａ，２１ｂは、画像表示装置１１の下方に、電源スイッチ１６ｂとともに設けられている。図１２（ａ）は、図１の画像表示装置１１を拡大した図である。なお、ここでは表示選択ボタン１８等を画像表示装置１１の下方に設けているが、図１２（ｂ）に示すように、肘掛２０に設けてもよい。
【００７２】
図１３において、まず、歯科医師又は患者によって画像表示装置１１の電源が入れられると、画像表示手段には、初期画面（図１４（ａ））が表示される（ステップＳ２１）。
【００７３】
この初期画面において、患者は、上下選択ボタン２１ａ，２１ｂを操作して、画像一覧の中から希望する画像の選択を行い（ステップＳ２２）、選択した画像を表示させるために、表示選択ボタン１８の操作を行う（ステップＳ２３）。
【００７４】
上下選択ボタン２１ａ，２１ｂ，及び、表示選択ボタン１８を操作すると、その操作信号はＣＰＵ５０へ送信される。ＣＰＵ５０は、操作信号に基づく適切なデータをＧＰＵ５３に転送し、ＶＲＡＭ５４、画像表示制御回路５５を介して、患者が選択した画像を、画像表示装置１１に表示する（ステップＳ２４）。
【００７５】
図１４に示すように、患者は、初期画面で「本日の残り診療時間」を選択した場合には、歯科診療時間に関する視覚的図形を視認することができ（図１４（ｂ））、「残り診療日数」を選択した場合には、歯科治療の終了までの日数に関する視覚的図形を視認することができ（図１４（ｃ））、「カメラ映像」を選択した場合には、口腔内画像を視認することができる（図１４（ｄ））。このように、本発明によれば、患者は知りたい情報を自ら選択して表示させることができるので、患者の意思を反映した利便性の高い歯科診療情報共有システムを提供することができる。
【産業上の利用可能性】
【００７６】
本発明に係る歯科診療情報共有システムは、診療時間に関する視覚的図形を視認することに起因して患者が抱く歯科診療に関する不安を和らげることが可能なものとして有用である。
【図面の簡単な説明】
【００７７】
【図１】本発明の実施の形態に係る歯科診療情報共有システムの概要を示す外観図である。
【図２】ドクターサイド操作ユニットの操作タッチパネルの表示例を表した図である。
【図３】図３は、本発明の実施の形態に係る歯科診療情報共有システムの電気的構成を示すブロック図である。
【図４】本発明の実施の形態に係る歯科診療情報共有システムの制御の流れを示すフローチャートである。
【図５】歯科診療時間に関する視覚的図形が画像表示装置の画面に表示されている様子の一例を示した図である。
【図６】本発明の他の実施の形態に係る歯科診療情報共有システムの画像表示装置の画面を表す図である。
【図７】本発明の他の実施の形態に係る歯科診療情報共有システムで用いられるヘッドマウントディスプレイを示す図である。
【図８】本発明の他の実施の形態に係る歯科診療情報共有システムで用いられる回転切削器具を示す図である。
【図９】本発明の他の実施の形態に係る歯科診療情報共有システムで用いられる表示選択ボタンを示す図である。
【図１０】本発明の他の実施の形態に係る歯科診療情報共有システムの画像表示手段の画面が切り替わる流れを示すフローチャートである。
【図１１】本発明の他の実施の形態に係る歯科診療情報共有システムにおいて、実際に画像表示手段の画面が切り替わった様子を示す図である。
【図１２】本発明の他の実施の形態に係る歯科診療情報共有システムで用いられる表示選択ボタンを示す図である。
【図１３】本発明の他の実施の形態に係る歯科診療情報共有システムの画像表示手段の画面が表示される流れを示すフローチャートである。
【図１４】本発明の他の実施の形態に係る歯科診療情報共有システムにおいて、実際に画像表示手段の画面が切り替わる様子を示す図である。
【符号の説明】
【００７８】
１０  診療チェアー
１１  画像表示装置
１２  歯科診療情報共有コンピュータ
１３  ドクターサイド操作ユニット
１４  回転切削器具
１５  口腔内カメラ
１６  電源スイッチ
１７  操作ボタン
１８  表示選択ボタン
１９  ヘッドマウントディスプレイ
２１  上下選択ボタン
５０  ＣＰＵ
５１  ＲＯＭ
５２  ＲＡＭ
５３  ＧＰＵ
５４  ＶＲＡＭ
５５  画像表示制御回路
５６  記憶装置
５７  演算装置
【図３】
2007143602.tif 000003
【図４】
2007143602.tif 000004
【図１】
2007143602.tif 000005
【図２】
2007143602.tif 000006
【図５】
2007143602.tif 000007
【図６】
2007143602.tif 000008
【図７】
2007143602.tif 000009
【図８】
2007143602.tif 000010
【図９】
2007143602.tif 000011
【図１０】
2007143602.tif 000012
【図１１】
2007143602.tif 000013
【図１２】
2007143602.tif 000014
【図１３】
2007143602.tif 000015
【図１４】
2007143602.tif 000016